(57)【要約】ボトル（２）のための圧縮ガスカプセル（７）を有する本発明の押しボタン式ディスペンサーは、ボトル（２）上にネジ式に取り付けることが可能なヘッド部（１）を有しており、前記ヘッド部（１）は側面に位置する抜出しチャネル（４）と、頂部に位置する押しボタン（１５）と、下向きに突出する吸引チューブ（１１）とを有している。前記吸引チューブ（１１）は、ディスペンサーが取り付けられるボトル（２）の底部まで到達できるようになっており、その頂部では、前記ヘッド部（１）内のバルブ装置内へと開放している。前記バルブ装置は前記ボトル（２）の軸方向に移動することが可能な制御機関（３９）を有しており、前記制御機関（３９）はバネ（１７）によって閉鎖する方向に力を受けており、上方から手動で前記押しボタン（１５）を押すことによって前記制御機関（３９）を開放させることが可能である。その結果、前記吸引チューブ（１１）の内部圧力は大気圧まで低減され、このことにより、前記ボトル（２）の内部の支配的圧力を通じて、液体は、前記吸引チューブ（１１）の下端抜出し口から吸い込まれ、前記抜出しチャネル（４）を経由して、前記ボトル（２）から放出される。さらなる特徴を挙げると、本発明の押しボタン式ディスペンサーは、内部筐体（３７）を有する単一片の筐体（１４）を有し、前記筐体（１４）は、前記ディスペンサーの全ての他の部品を収容し又はそれらを外から支える。【選択図】図４
2013525217.tif 000002
【特許請求の範囲】
【請求項１】
ボトル（２）のための、圧縮ガスカプセル（７）を有する押しボタン式ディスペンサーであって、前記ディスペンサーはボトルにネジ式に取り付けることが可能なヘッド部（１）を有しており、前記ヘッド部（１）は側面に位置する抜出しチャネル（４）と、頂部に位置する押しボタン（１５）と、下向きに突出する吸引チューブ（１１）とを有しており、前記吸引チューブ（１１）は、ディスペンサーが取り付けられるボトル（２）の底部まで到達できるようになっており、また前記吸引チューブ（１１）の頂部は前記ヘッド部（１）内のバルブ装置内へと開放しており、前記バルブ装置は前記ボトル（２）の軸方向に移動することが可能な制御機関（３９）を有しており、前記制御機関（３９）はバネ（１７）によって閉鎖する方向に力を受けており、上方から手動で前記押しボタン（１５）を押すことによって前記制御機関（３９）を開放させることが可能であり、その結果、前記吸引チューブ（１１）の内部圧力を大気圧まで低減させることが可能であり、このことにより、前記ボトル（２）の内部の支配的圧力を通じて、液体を前記吸引チューブ（１１）の下端抜出し口から吸い込み、前記抜出しチャネル（４）を経由して、前記ボトル（２）から放出することができるようになっており、
前記ディスペンサーは単一片の筐体（１４）を有し、前記筐体（１４）は、前記ディスペンサーの全ての他の部品を収容し又はそれらを外から支えるものであり、前記筐体（１４）は内部筐体（３７）を有するものであり、前記筐体（１４）の側部には開いた収容シリンダー（８）が形成されており、前記収容シリンダー（８）はその内部に、前記収容シリンダー（８）と同心的に外側に向かって取り付けられた鋼鉄製の穴開けチューブ（２３）を有しており、前記穴開けチューブ（２３）は前記圧縮ガスカプセル（７）を受け入れるためのものであり、前記圧縮ガスカプセル（７）は、その鉛密封閉鎖部が穴開けチューブ（２３）の先端に達するまで下から前記収容シリンダー（８）に押し込むことができ、静止摩擦力によりこの位置に保持されるものであり、前記圧縮ガスカプセル（７）は、付属するネジ式キャップ（６）のネジ込みによって、収容シリンダー（８）内に更に軸方向に押すことができるものであり、それにより、斜めに切られた先端を有する前記穴開けチューブ（２３）が前記鉛密封閉鎖部を隙間が生じないように貫通することを特徴とする、押しボタン式ディスペンサー。
【請求項２】
前記圧縮ガスカプセル（７）のための前記開いた収容シリンダー（８）が、前記内部筐体（３７）と接しており、前記ネジ軸に対して３５°以下の角度をなして傾斜するように下向きに配置されることを特徴とする、請求項１に記載の、ボトル（２）のための圧縮ガスカプセル（７）を有する押しボタン式ディスペンサー。
【請求項３】
ディスペンサーが、外側から見える部品としては、４つの別々の単一片部品のみ、すなわち、１番目に筐体（１４）、２番目に、筐体（１４）の上に配置される、抜出しチャネル（４）を有する取り付け部材（１６）、３番目に、この取り付け部材（１６）の中に配置される押しボタン（１５）、及び４番目に、筐体（１４）の下に配置される、前記圧縮ガスカプセル（７）を収容するための前記収容シリンダー（８）のためのネジ式キャップ（６）のみを有することを特徴とする、請求項１に記載の、ボトル（２）のための圧縮ガスカプセル（７）を有する押しボタン式ディスペンサー。
【請求項４】
押しボタン（１５）が前記ディスペンサーの前記ネジ軸に対して斜めに位置するように装着されるが、それでも押しボタン（１５）は前記ディスペンサーの前記ネジ軸の方向に押すことができるものであり、前記取り付け部材（１６）及び前記押しボタン（１５）の上側境界面が、最も下の位置においては、前記抜出しチャネル（４）の上面と同一平面上にあり、前記抜出しチャネル（４）は、そこから下方に曲がり、開口部（５）が前記ネジ軸と約３５°の角度をなす平面を規定するものであるように、前記押しボタン（１５）と前記抜出しチャネル（４）とを有する前記取り付け部材（１６）が構成されていることを特徴とする、請求項１〜３のいずれかに記載の、ボトル（２）のための圧縮ガスカプセル（７）を有する押しボタン式ディスペンサー。
【請求項５】
バルブを有するバルブケース（２７）が、前記ボトルの内部の圧力の制御のために前記筐体（１４）に取り付けられており、前記バルブケース（２７）は圧力制御バネ（２０）を有するバルブ球を有しており、前記バルブは、前記バルブ球が前記圧力制御バネ（２０）によって押されているときには前記カプセル（７）からの圧縮ガスの供給を妨げるものであり、前記圧力制御バネ（２０）は、前記ボトルの内部の基準圧力を表示するものであり、前記ボトルの内部の圧力がこの基準圧力より低下した際には、この圧力制御バネ（２０）が前記バルブ球を解放して、前記圧縮ガスカプセル（７）からの圧縮ガスの供給が開始されるようになっていることを特徴とする、請求項１〜４のいずれかに記載の、ボトル（２）のための圧縮ガスカプセル（７）を有する押しボタン式ディスペンサー。
【請求項６】
過剰圧力安全キャップ（４５）が前記バルブケース（２７）の内部に配置されており、前記過剰圧力安全キャップ（４５）は０．１ｍｍの厚さを有する破壊可能な薄厚部材に囲まれており、前記ボトルの内部の圧力が４バールを越えた際には、前記薄厚部材が破壊され、ガスが前記内部筐体（３７）内の逃がし穴から逃げ、その後は前記押しボタン式ディスペンサーが意図的に使用不能となることを特徴とする、請求項１〜５のいずれかに記載の、ボトル（２）のための圧縮ガスカプセル（７）を有する押しボタン式ディスペンサー。
【請求項７】
前記吸引チューブ（１１）が、その上端において把持部材に隙間なく取り付けられており、前記把持部材の中で、前記吸引チューブ（１１）の貫流チャネルが嵌合し、そこから円錐状に広がるセグメント（１０）内に入っており、この貫流チャネルが頂部で受容スリーブ（２５）を形成しており、前記受容スリーブ（２５）の中に２Ｋ射出成形技術によって形成された挿入スリーブ（３６）が配置されており、前記受容スリーブ（２５）は射出成形によって形成された封止リングを内部に有しており、制御機関（３９）が前記受容スリーブ（２５）の中を通って延びており、制御機関（３９）は、刀形状の伸長部（１３）を上部に有する重錘形状の封止円錐体（３）を有しており、前記封止円錐体（３）は底部において、その肩部が前記密封リングと密接に適合しており、前記刀形状の伸長部（１３）は圧縮バネ（１７）によって前記押しボタン（１５）によりその上端部で上向きに引かれており、上から前記押しボタン（１５）により手動で押された際には、封止円錐体（３）を有する前記制御機関（３９）は封止円錐体（３）から下向きに離すことができ、これにより、前記吸引チューブ（１１）によって吸い込まれた液体が、前記封止円錐体（３）の周囲一帯を流れ、そこから前記刀形状の伸長部（１３）に沿って流れ、そして前記抜出しチャネル（４）を経て外部に流れるようになっていることを特徴とする、請求項１〜６のいずれかに記載の、ボトル（２）のための圧縮ガスカプセル（７）を有する押しボタン式ディスペンサー。
【請求項８】
取り付け部材（１６）は、両側上がくびれた形状を有する部材であって、これにより、片手の人差し指と中指との間で上から把持することが可能であり、かくして押しボタン式ディスペンサーを取り付けたボトル（２）が２本の指で持ち運ぶことができるようになっていることを特徴とする、請求項１〜７のいずれかに記載の、ボトル（２）のための圧縮ガスカプセル（７）を有する押しボタン式ディスペンサー。
【請求項９】
ディスペンサーは付属する封止部材（３２）を有しており、前記封止部材（３２）は上から前記取り付け部材（１６）上にクリック方式で嵌めることができるものであり、この封止部材（３２）が前記抜出しチャネル（４）の開口部のためのカバーキャップを形成しており、その反対側では、前記封止部材（３２）は、所定の破断点を有する材料ブリッジ（３５）を越えて下向きに突出する封止タブ（３４）を有しており、前記封止タブ（３４）は、前記封止部材（３２）を取り付ける際には前記取り付け部材（１６）上に当接することが可能であり、前記封止部材（３２）の所定の破断点を破断することによってのみ外すことが可能であることを特徴とする、請求項１〜８のいずれかに記載の、ボトル（２）のための圧縮ガスカプセル（７）を有する押しボタン式ディスペンサー。
【請求項１０】
前記吸引チューブ（１１）の前記下端抜出し口に、２．８〜３．２ｇ／ｍｌの密度を有する抜出し口部材（１２）が取り付けられており、その結果、前記押しボタン式ディスペンサーを取り付けた水平姿勢のボトルにおいて、前記吸引チューブ（１１）の前記抜出し口が、前記抜出し口部材（１２）の重量により前記ボトルの内部の最下点に置かれるようになることを特徴とする、請求項１〜９のいずれかに記載の、ボトル（２）のための圧縮ガスカプセル（７）を有する押しボタン式ディスペンサー。
【請求項１１】
前記吸引チューブ（１１）の前記下端抜出し口に、２．８〜３．２ｇ／ｍｌの密度を有する抜出し口部材（１２）が取り付けられており、その結果、前記押しボタン式ディスペンサーを取り付けた水平姿勢のボトルにおいて、前記吸引チューブ（１０）の前記抜出し口が、前記抜出し口部材の重量により前記ボトルの内部の最下点に置かれるようになっており、さらに前記抜出し口部材が、石粉を混ぜて強化した熱可塑性のポリブチレンテレフタレート（ＰＢＴ）からなることを特徴とする、請求項１〜１０のいずれかに記載の、ボトル（２）のための圧縮ガスカプセル（７）を有する押しボタン式ディスペンサー。
【発明の詳細な説明】
【技術分野】
【０００１】
本発明は、単にボタンを押すことにより、直立姿勢であるか水平姿勢であるかを問わず、ペットボトルのようなボトルから、飲料（炭酸飲料でも非炭酸飲料でもよい）を確実に分配するためのディスペンサーに関する。本発明のディスペンサーを用いると、ボトル内の圧力が低すぎるまでに低下することが決して起こらないようにできるため、安全にかつ完全にボトルを空にすることが保証される。また、所望であれば、飲料を新鮮に保つこともできるものであり、その理由は、飲料を窒素圧力下に置くこともできるし、飲料にＣＯ2を十分に加えることもできるからである。
【背景技術】
【０００２】
炭酸及び非炭酸飲料はアルミニウム缶のみならず、ガラスボトルおよびＰＥＴボトルの形態で極めて大量に販売されている。何百万ものそのようなボトル（主としてペットボトルの形のもの）が日々開栓され、それらのボトルの内容物が注ぎ出されて飲まれている。飲料が、飲料に新鮮さを与える炭酸を含むときには、そのガス放出によって飲料はボトル内の圧力上昇を引き起こす。誰しもが、そのようなボトルを開栓する際に耳にする、プシューという音になじみがあるが、これは、最初に、ボトル内の一定の過剰圧力が抜けるためである。ペットボトルは、０．３３リットル、０．５リットル、１リットル、１．５リットル、２リットルの容量から、最大３リットルのボトルまで、様々なサイズで販売されている。
【０００３】
しかしながら、より大型のボトルは、誰にとっても問題なく取り扱うことができるわけではない。特に、小さい子供、ならびに非力な者および高齢者は、重いボトルを取り扱う際に困難を訴える。ボトルは、多くの場合、冷蔵庫内に保管され、飲料が所望される場合には、ボトルを冷蔵庫から取り出して、開栓し、注ぐために持ち上げて、飲用グラスの上で傾け、次いで、冷蔵庫内に戻さなければならない。これらの手順工程は、小さい子供、または病人、高齢者もしくは障害者などの非力な成人にとっては、実行困難または実行不可能である場合がある。ネジ式の封栓を最初に開ける際には、開けるために破断しなければならない封止部材が封栓には更に設けられているために、全ての人々に可能とは限らない力を費やすことを必要とする。更には、そのような飲料ボトルを繰り返し開閉することにより二酸化炭素の一部が漏れるため、その飲料は、完全に消費される前に気が抜けて泡立ちが不足することになる。
【０００４】
これらの問題を回避するために、ボトル内の圧力を維持し、所望の場合、二酸化炭素の漏れに対処することを必要とせずに常に新鮮な状態でボトルから炭酸飲料を分配するための、ボトルの首部に搭載することができる様々な装置が提案されている。例えば、ベルギー国特許第７４３，４８５号は、分配バルブと、ボトルの内部の圧力があるレベルより低くなった場合にボトルに二酸化炭素を追加するための別個の二酸化炭素バルブとを備える装置を開示している。オーストリア国特許第１４４，１１１号および米国特許第３，９７６，２２１号には、飲料内の二酸化炭素の圧力を制御するための圧力制御装置が開示されている。しかし、問題となるのは、通例はボトルを完全に空にすることを阻止する、炭酸を含むボトルの内容物を分配する際の圧力低下のみではない。炭酸飲料が注ぎ出される際には、その炭酸飲料は発泡する。この発泡は、ある程度までは望ましいものであり、その飲料が新鮮であることを示す。しかしながら、過度の発泡は、飲用グラスが適切な時間内に満たされることを妨げるため、望ましいものではない。更には、ボトルが開栓されたまま長時間維持されているほど、より多くの二酸化炭素が漏れて、ボトル内の飲料はより早く気が抜けて泡立ちが不足することになる。飲料を分配する際に生じる、飲料のどのような乱流も、また、どのような非層流も、発泡に寄与する。更には、大気温度（周囲温度）が一定の役割を果たす。圧力の低減後に飲料が放出される大気温度が高いほど、冷たい炭酸飲料はより発泡しやすくなる。ボトルが事前に振ってある場合には、このことによりガス放出が大いに促進され、発泡の問題は、ボトルの内容物を適切に分配することがほぼ不可能になるほど十分に深刻なものになる。
【０００５】
従来技術では、上述の問題を解決すると称して、解決策を見出すための様々な試みがなされている。英国特許第２２１９９８８号は、ボトル上にネジ式に取り付けることができるディスペンサーを開示している。弾性を有する小さいチューブがボトルの底まで下方に延びる。ボトル内部の高められた圧力に基づいて制御された方式でボトルから飲料を分配するために、手動操作のバネ荷重式バルブが、出口に至近の場所で、押しつぶされた小さいチューブを開放することによって、首部の圧力を低減する。このディスペンサーは、更に、ＣＯ2圧縮カプセルを備える圧力制御器を含み、ボトルの内部の圧力が一定のレベルより低くなった場合には、このＣＯ2圧縮カプセルからＣＯ2が追加される。しかしながら、このディスペンサーは、極めて多数の部品からなり、それに応じて製造および組み立ての費用が高くなる。
【０００６】
このように、炭酸飲料または当初には炭酸を含有していない飲料におけるボトル内部の高められた圧力を利用し、また、ボトルを空にする際の制御された減圧を通じて炭酸飲料を分配するためのディスペンサーの基本原理は、様々な実施形態で既知である。しかしながら、実際には、炭酸飲料を含むボトルは、そのようなディスペンサーを備えずに販売され、これらのシステムは一般的に普及してはいないという事実が、依然として残されている。後からボトルにネジ式に取り付けることができる個別のディスペンサーが市販されている場合がある。しかしながら、単にボトル上にディスペンサーをネジ式に取り付けるためにボトルを最初に開栓するだけで、二酸化炭素または他の圧縮ガスの相当な初期部分が漏れる。また、そのようなディスペンサーは、仮に使用されるとしても、極めて稀にしか使用されることがない。
【０００７】
欧州特許第１７３７７５９号に対する異議申立手続きから、以下の特徴は、既によく知られた従来技術を構成するものであることが明らかになった。容器の収容空間から、外部への少なくとも１つの閉鎖可能な流出口を介して流体を解放するための装置であって、この収容空間から隔てられた圧力貯蔵器を有し、この圧力貯蔵器内に推進手段が加圧下で収容されており、圧力制御器を介して前記圧力貯蔵器を前記収容空間と連通させることができる装置。この圧力制御器は、軸方向に移動可能な制御機関を有する。加圧手段をこの制御機関に作用させることによって、この制御機関は閉鎖状態に維持される。内部の圧力は、制御機関を閉鎖する方向に作用する。大気圧（周囲圧力）は、制御機関を開放する方向に作用する。更に、ボトルの内部の圧力降下が、カプセルからＣＯ2または別の圧縮ガスを後から自動的に付加することによって補われる構成も、既知である。
【０００８】
それゆえ、新たなディスペンサーは、単に機能に関する既知の基本原理に関与し得るのではなく、むしろ、そのようなディスペンサーの特定の実施形態、およびこの基本原理の特定の適用にのみ関与し得るものであり、それにより、この基本原理は技術的により良好かつ単純な方式で適用され、常に信頼できて確実に機能し操作が極めて容易な製品として、ディスペンサーが製造される。取り付ける圧縮ガスカプセルは約６０バールの圧力を有するので、圧縮ガスカプセルに関する潜在的ないかなる危険をも確実に排除することも、特に重要である。例えば、ペットボトルの内部の圧力が１２バールに上昇するようなことがあれば、ペットボトルは破裂することがある。炭酸入りのコーラ飲料が、例えば、大気温度（周囲温度）４０℃で、既に８バールのボトル内圧を生じている場合には、ボトルを破壊限界点にもっていくのに大きな更なる圧力を必要としない。圧縮ガスカプセルの形の追加の圧力源とともにディスペンサーを用いる場合には、絶対的な安全性と信頼性とを以ってボトルの破壊を防ぐことが可能でなければならない。上記の全ての事情と条件とが、そのようなディスペンサーが市場で生き残る機会を有するための基本要件である。
【発明の概要】
【０００９】
これらの前述の状況に留意すると、本発明の課題は、上述の問題と不都合とを除去し、少なくとも次の要件を満たす、炭酸飲料または非炭酸飲料を含むボトルのための、圧縮ガスカプセルを有する押しボタン式ディスペンサーを提供することである。
・ディスペンサーは、ボトルが直立の姿勢から水平の姿勢までのどのような姿勢であっても、単に押しボタンを押すだけでボトルの内容物を数滴しか残留しないように飲用グラス内に分配することを、必要に応じて圧縮ガスカプセルから圧縮ガスを加えることにより可能にするべきである。
・ディスペンサーは、分配する際のＣＯ2ガスによる発泡を概ね抑制し、適正な流出速度を提供すべきである。
・ディスペンサーは、可能な限り経済的に製造できるように、最小限の部品からなり、かつ組み立てが容易であるべきである。
・ディスペンサーは、それを装着するボトルの流通及び取扱い全般（ロジスティクス）に邪魔にならず、ボトルが直立姿勢であっても水平姿勢であっても冷蔵庫内に保管可能なように、できる限りコンパクトであるべきである。
・ディスペンサーは、利用者によってディスペンサーが開封される前にどのような汚物もディスペンサーの放出口内に入ることを防止する開口封止部材を有するべきである。
・ディスペンサーは、最大圧力限界に達した際には圧力低減処理を開始し、圧力限界を超える更なる圧力の増加を防ぐために自己破壊するように、過度な圧力からの信頼できる防御を保証すべきである。
・ディスペンサーは再使用可能であるべきであり、そのために、圧縮ガスカプセルのみの交換が必要で、その交換は使用者にとって極度に簡単で、完全に危険がなく、機能にとって絶対的に安全であるべきである。
・ディスペンサーは、それを装着したボトルを２本の曲げた指の間で吊り下げて容易に持ち運ぶことを可能にすべきである。
【００１０】
主たる課題は、次のような押しボタン式ディスペンサーによって解決される：ボトルのための、圧縮ガスカプセルを有する押しボタン式ディスペンサーであって、前記ディスペンサーはボトルにネジ式に取り付けることが可能なヘッド部を有しており、前記ヘッド部は側面に位置する抜出し部と、頂部に位置する押しボタンと、下向きに突出する吸引チューブとを有しており、前記吸引チューブは、ディスペンサーが取り付けられるボトルの底部まで到達できるようになっており、また前記吸引チューブの頂部は前記ヘッド部内のバルブ装置内へと開放しており、前記バルブ装置は前記ボトルの軸方向に移動することが可能な制御機関を有しており、前記制御機関はバネによって閉鎖する方向に力を受けており、上方から手動で前記押しボタンを押すことによって前記制御機関を開放させることが可能であり、その結果、前記吸引チューブの内部圧力を、大気圧まで低減させることが可能であり、このことにより、前記ボトルの内部の支配的圧力を通じて、液体を前記吸引チューブの下端抜出し口から吸い込み、前記抜出し部を経由して、前記ボトルから放出することができるようになっており、前記ディスペンサーは単一片の筐体を有し、前記筐体は、前記ディスペンサーの全ての他の部品を収容し又はそれらを外から支えるものであり、前記筐体の側部には開いた収容シリンダーが形成されており、前記収容シリンダーはその内部に、前記収容シリンダーと同心的に外側に向かって取り付けられた鋼鉄製の穴開けチューブを有しており、前記穴開けチューブは前記圧縮ガスカプセルを受け入れるためのものであり、前記圧縮ガスカプセルは、その鉛密封閉鎖部が穴開けチューブの先端に達するまで前記収容シリンダーに下から押し込むことができ、静止摩擦力によりこの位置に保持されるものであり、前記圧縮ガスカプセルは、付属するネジ式キャップ（グリップフィンを有する）のネジ込みによって、収容シリンダー内に更に軸方向に押すことができるものであり、それにより、斜めに切られた先端を有する前記穴開けチューブが前記閉鎖部を隙間が生じないように貫通することを特徴とする、押しボタン式ディスペンサー。
【００１１】
更に、上述の特徴を有する押しボタン式ディスペンサーが、解決すべき課題に応じて、従属請求項内に見出される更なる他の特定の特徴を有する場合には、その押しボタン式ディスペンサーによって更なる課題が解決される。
【００１２】
以下、図面に参照しながら、そのような圧縮ガスカプセル付き押しボタン式ディスペンサーを好ましい実施態様で示し、さらに、押しボタン式ディスペンサーの個々の部品および押しボタン式ディスペンサーの機能を説明し明確にする。
【図面の簡単な説明】
【００１３】
【図１】装着される飲料ボトルにネジ式に取り付けられた、圧縮ガスカプセル付き押しボタン式ディスペンサーである。
【図２】圧縮ガスカプセル及び吸引チューブを有する押しボタン式ディスペンサーである。飲料ボトルは図示されていない。
【図３】圧縮ガスカプセル及び吸引チューブを有する押しボタン式ディスペンサーである。圧縮ガスカプセル及びネジ式キャップは、それらを収容する収容シリンダーと別に示されている。
【図４】組み立てられた状態にある、圧縮ガスカプセルを取り付けた押しボタン式ディスペンサーの断面図である。断面は、吸引チューブと圧縮ガスカプセルのための収容シリンダーとの軸に沿った断面である。
【図５】押しボタン式ディスペンサーを各部品とともに示したものである。
【図６】押しボタン式ディスペンサーを各部品とともに別の図で示したものである。
【図７】バルブ筐体上の過剰圧力安全装置を拡大図で示したものである。
【発明を実施するための形態】
【００１４】
図１は、飲料ボトル２にネジ式に取り付けられた、組み立てられた状態の、完全な押しボタン式ディスペンサー１を示す。このディスペンサーの１つの特徴は、非常にコンパクトな構成を有することである。側部に位置する、圧縮ガスカプセルのための収容シリンダー８は、ディスペンサーの筐体と接するように配置される。すなわち、収容シリンダー８は、図に示すように、外側に突出して下向きに配置されており、ボトルの軸に相当するディスペンサーのネジ軸からわずか３０度の角度にある。別の特徴を挙げると、頂部においては、押しボタン１５はネジ軸に対して斜めの角度で、すなわち、片側に傾いて配置される。それにもかかわらず、押しボタン１５は軸方向に、すなわちネジ軸の方向に下向きに押すことが可能である。押しボタン１５の上面は、最も下の位置においては、抜出しチャネル４の上側境界面と同一平面上にある。抜出しチャネル４は、斜めに若干下向きに曲がって延びており、これにより、抜出しチャネル４の開口部５に垂直な平面は、図に示すように、ディスペンサーのネジ軸と約３５°の角度をなすようになる。ディスペンサーを示したこの図においては、外側からは４つの異なる部品だけが見える。すなわち、頂部に位置する押しボタン１５、抜出しチャネル４を有する取り付け部材１６、取り付け部材１６を載せる筐体１４、そして最後に、圧縮ガスカプセルの収容シリンダー８のためのネジ式キャップ６だけが見える。抜出しチャネル４は、ディスペンサーの、圧縮ガスカプセルが収容されている側と同じ側にある。図から分かるように、ディスペンサーのコンパクトな構成と、圧縮ガスカプセルのための収容シリンダー８の密接な収容とのおかげで、ディスペンサーはほとんどボトルの側部を越えて延びていかない。抜出しチャネル４はわずかに下向きの湾曲を有するので、ボトルが直立姿勢であろうが水平姿勢であろうが、ボトルの下に置かれるグラス内に飲料を分配することが可能になる。
【００１５】
抜出しチャネル４を有する取り付け部材１６の上方に、封止部材３２が示されている。これは、頂部に丸屋根形状の蓋を有する。封止部材３２が所定位置に置かれたときには、丸屋根形状の蓋の下にディスペンサーの実際の押しボタン１５が位置するようになる。前面に向かって、封止部材３２は曲がった形状を有するカバー部４２へと延びる。カバー部４２は、内側に封止リング３３を有する。封止リング３３は、抜出しチャネル４の開口部５に適合し、抜出しチャネル４を閉じる。封止部材３２の反対側には、封止タブ３４がある。封止タブ３４は、その両側において、封止部材３２の包囲バンド４６上に位置し所定の破断点を有する少なくとも１つの材料ブリッジ３５によって保持されている。製造中に、この封止部材３２は真下に位置する取り付け部材１６に当接され、諸部分が冷却された後には、この封止部材３２は、材料ブリッジ３５上の所定の破断点を破断することによって、取り付け部材１６から容易に取り除くことができる。したがって、この封止部材３２は、確実な初期開口封止部材を提供し、購入者が初めてこの封止部材３２を取り外す前に、どのような汚染断片または異物も抜出しチャネル４内に混入することがないようにすることができる。取り付け部材１６は、その一方の面において、開口部５を有する実際の抜出しチャネル１５、即ち、ディスペンサーの内部から外部に至るチャネルを形成する。この取り付け部材１６は、両側上がくびれた形状を有する。それゆえ、取り付け部材１６は、一方の手の人差し指および中指などの２つの曲げた指で持つことによって、上方から容易に把持することができる。したがって、この押しボタン式ディスペンサーを装着したボトルは、２つの指によって容易に持ち運ぶことができる。
【００１６】
図２は、筐体１４から下に伸びる吸引チューブ１１を含むディスペンサーの全体を示す。吸引チューブはプラスチック製のチューブであり、吸引チューブの最下端に抜出し口部材１２が嵌め込まれている。この抜出し口部材１２は密度が大きいため、ボトルが水平姿勢である場合には、吸引チューブ１１は抜出し口部材１２の重量により弓なりの形で下向きに屈曲し、抜出し口部材１２は水平姿勢のボトルの内側面上の最も低い場所に位置することになり、その結果、液体を吸引によって常に最後まで取り出すことができる。この抜出し口部材１２は、２．８〜３．２ｇ／ｍｌの密度を有しており、熱可塑性ポリブチレンテレフタレート（ＰＢＴ）を射出成形し、密度を増すために石粉と混ぜて強化することによって得られるものである。吸引チューブ１１は円錐状に広がるセグメント１０を上部に有する。このセグメントを設けることにより、飲料が炭酸飲料である場合には発泡の抑制を助ける。吸引チューブ１１及び円錐状セグメント１０は、貫流する液体の渦巻き、及びそれによって生ずる発泡を可能な限り避けるために、いかなる溝も段も無い、可能な限り滑らかな内面を有していなければならない。
【００１７】
図３は、収容シリンダー８が開いた状態にあるディスペンサーを示す。ネジ式キャップ６は外されており、収容シリンダー８の外側ネジ部が見える。ネジ式キャップ６と収容シリンダー８との間に、圧縮ガスカプセル７が示されている。たいていの場合、これは最高６０バールの内部圧力を有するＣＯ2圧縮カプセルである。しかし、炭酸化を望まず、ボトル内の液体を排除し又は分配するように作用するべき推進ガスのみを使用する場合には、ＣＯ2の代わりに窒素を（したがって、原理的には空気を）使用することができる。
【００１８】
図４は、組み立てられた状態にある、圧縮ガスカプセル７を取り付けたディスペンサー１の断面図を示す。断面は、吸引チューブ１１と圧縮ガスカプセル７のための収容シリンダー８との軸に沿った断面である。この図には、制御機関３９が示されている。制御機関３９は、下端にある重錘形状の封止円錐体３とともに、吸引チューブの円錐状に広がる部材１０の端部において受容スリーブ２５を通過する。この受容スリーブ２５の内部に、挿入スリーブ３６が配置されている。挿入スリーブ３６は、２Ｋ射出成形技術で製造されたものであって、その内側において封止リングを形成しており、封止円錐体３の肩部はその封止リングと密接に適合している。制御機関３９の上部に位置する、船形状の断面を有する刀形状の伸長部１３は、その上端において、押しボタン１５の下側上にあるクリック方式またはスナップ方式で留めるための支持部材によって保持されている。圧縮バネ１７は、押しボタン１５を常に上向きに押し、したがって、押しボタン１５に吊るされている制御機関３９をも上向きに引き、その結果、封止円錐体３は、その肩部が挿入スリーブ３６内の封止リングに密接に押し付けられる。押しボタン１５が作動されると、押しボタン１５は封止リングから離れるように封止円錐体３を下に押し、液体は、吸引チューブ１１から封止円錐体３の周囲を上方に流れ、その後刀形状の伸長部１３の両側に沿って更に上方に流れ、そして最後に、抜出しチャネル４を通過してその開口部５から外部に流れる。
【００１９】
内部筐体３７は、底部においてネジ式連結部材４０を形成しており、それによって内部筐体３７はガラスボトルやペットボトルのようなボトルの首部にネジ式に取り付けることができる。このために、ネジ式連結部材４０は、その内側面上に適切なネジ切り、好ましくはＰＥＴボトルの広く用いられている２８ｍｍの首部用のネジ切りを有する。当然のことながら、他のサイズのネジ切りも用いることが可能である。ネジ式連結部材４０の底部に、保持リブを有するリングの形状のネジ外れ防止用部材９が示されている。ネジ外れ防止用部材９はボトルの首部において歯止め効果を有するものであり、このリングは薄厚部材によって形成されたものである。いったんディスペンサーが内部筐体３７によってボトルにネジ式に取り付けられると、この薄厚部材を壊さない限りディスペンサーをボトルから外すことはできない。このネジ外れ防止用部材９の下に、吸引チューブ１１の円錐状セグメント１０が示されている。
【００２０】
図の右側に、内部筐体３７によって形成される、圧縮ガスカプセル７を収容するための収容シリンダー８が示されている。底部では開いているこの収容シリンダー８の内端に、斜めに切られた先端を有する鋼鉄製の穴開けチューブ２３が取り付けられている。圧縮ガスカプセル７の頸部は挿入リング２２によって囲まれており、これにより、圧縮ガスカプセル７は穴開けチューブ２３を中心とするようになり、圧縮ガスカプセル７のための封止リング２１が挿入リング２２に隣接する。ネジ式キャップ６は下からネジ止めされており、手動によって十分なトルクでネジ止め可能なように、放射状のグリップフィン４１が設けられている。圧縮ガスカプセル７を挿入する際には、圧縮ガスカプセル７は最初に収容シリンダー８内に押し込まれ、その後で圧縮ガスカプセル７は挿入リング２２との間の静止摩擦力によってそこに保持される。その後、ネジ式キャップ６がネジ式に取り付けられ、これによって、圧縮ガスカプセル７が穴開けチューブ２３を貫通するように押され、その結果、穴開けチューブ２３は、圧縮ガスカプセル７の開口部の鉛で密封された閉鎖部を開けてその中に貫通して、穴開けチューブ２３と閉鎖部との間には隙間は生じない。以下により詳しく述べられるように、圧縮ガスはそこからバルブケース２７内に抜ける。
【００２１】
図５は、ディスペンサーの更なる部品、すなわち筐体１４とその内部にある部品（すなわち、封止円錐体３を有する制御機関３９）とを示す。制御機関３９は、封止円錐体３と、上部に位置する刀形状の伸長部１３とを有しており、ここでは、封止円錐体３は下部の先端しか見えない。この制御機関３９は、受容スリーブ２５に差し込まれる。受容スリーブ２５の中に挿入リング３６と封止リングとが配置されるが、封止リングはここでは見えない。組み立て過程においては、最初に制御機関３９は受容スリーブ２５に上から差し込まれ、次に挿入リング３６が上から挿入される。このようにした後では、封止円錐体３の肩部が封止リングに接しているので、制御機関３９を受容スリーブ２５から上に引き抜くことはできない。封止円錐体３の先端の下には取り付けリング２４があり、その下にはネジ外れ防止用部材９がある。いったんディスペンサーをボトルにネジ式に取り付けると、ディスペンサーをボトルから外すことはそれ程簡単にはできなくなる。
【００２２】
制御機関３９の刀形状の伸長部１３の後ろに、ボトルの内部の圧力を制御するためのバルブケース２７と、筐体１４のための取り付けネジ２６とが示されている（筐体１４のための取り付けネジは２つあるが、１つのみを示す）。これに並んで、押しボタン１５のための圧縮バネ１７が示されている。押しボタン１５は、圧縮バネ１７の力に逆らって作動される。制御機関３９の刀形状の伸長部１３の上端は、クリック方式またはスナップ方式で留めるための支持部材によって押しボタン１５の下側に固定され、これにより、押しボタン１５は絶えず制御機関３９を上向きに引き、かくして封止円錐体３の頂部（すなわち、肩部）を収容スリーブ２５内の封止リングに対して押す。抜出しチャネル４を有する取り付け部材１６（この図においては、抜出しチャネル４は後ろに延びている）は、その上部において押しボタン１５を受け入れる。押しボタン１５は、下向きに延びる２つの案内ピン１８を有する。
【００２３】
図の右側に、内部筐体３７が示されている。内部筐体３７は、筐体１４内に下から嵌めこむことができる。内部筐体３７の表面に、圧縮ガスカプセル７のための収容シリンダー８が形成されている。頂部に、取り付けネジ２６を収容する働きをする、止まり穴を有する２つのピン３８が形成されている。制御機関及びバルブケース２７が内部筐体３７内に取り付けられた後で、筐体１４が内部筐体３７にかぶせられてそれにネジ止めされる。この後で、抜出しチャネル４と、収容すべき押しボタン１５とを有する取り付け部材１６が、筐体１４に上から配置され、押しボタン１５は、制御機関３９の刀形状の伸長部１３の上端と摩擦力によってクリック留めされる。
【００２４】
収容シリンダー８の内部には、斜めに切られた先端を有する穴開けチューブ２３、圧縮ガスカプセルの頸部の心出しと固定とのための挿入リング２２、及び外側から圧縮ガスカプセル７を密封するための封止リング２１がある。圧縮ガスカプセル７自身は、ガスがまだ完全に又は部分的に満ちた状態では収容シリンダー８から意図的に外すことは不可能なので、いかなる潜在的危険も招来する可能性はない。これは、ネジ切りが長い構成を有しているため、ネジ式キャップ６を外す際には非常に長い距離をネジ式回転させなければならず、圧縮ガスカプセル７が実際に収容シリンダー８から外される前に、ガスが圧縮ガスカプセル７から外に流れ、収容シリンダー８内の逃がし穴及びネジ式キャップ６を通じて逃げてしまうからである。
【００２５】
図６は、押しボタン式ディスペンサーのすべての個々の部品を示した図である。この図には、バルブケース２７の各部品も示されている。このバルブケース２７の内部にはバルブ２９があり、その中にはバルブ球がある。バルブ球は、バネによってバルブシールに押し付けられる。圧力制御バネ２０は、バルブケース２７内に軸方向に収容され、ボトルの内部の基準圧力を表示する。ボトルの内部の圧力がこの基準圧力より低くなると、直ちに圧縮ガスカプセル７からの圧力はバルブ球をバルブシールから押し出すことが可能になり、ガスはバルブ球の周囲を流れてバルブケース２７内に入り、そこから更に内部筐体３７内に入り、更に、下に向かってボトルの内部に流れる。圧力制御バネ２０のための案内リング３０と、バルブ球のシール３１とが、構成部品として図示されている。バルブケース２７は、その後ろ側が、中央に穴を有するカバーディスク１９によって閉じられている。これらの部品の右に、穴開けチューブ２３、挿入リング２２、及び圧縮ガスカプセル７の頸部のための密封リング２１、ならびに、圧縮ガスカプセル７自身、及び内部ネジ切り付きのネジ式キャップ６が示されている。
【００２６】
内部筐体の内部に、重要な装置である過剰圧力安全装置が取り付けられている。これは図７に示されている。圧縮ガスカプセル７からの圧縮ガスは、バルブケース２７から内部筐体３７内のチャネル４３を経由して、ボトルの内部に流れる。このチャネル４３の側壁面に、直径約２．５ｍｍの過剰圧力安全キャップ４５が形成されている。キャップ４５は、全周にわたって薄厚部材４４のみによって保持される。この薄厚部材は、わずか約０．１ｍｍの厚さである。ボトル内部の圧力がひとたび４バールの値を超えると、この過剰圧力安全キャップ４５が図に示す矢印の方向に吹き飛ばされ、周囲の薄厚部材４４は破壊される。ガスは直ちに、こうしてできた開口から出て、内部筐体３７内の逃がし穴を経由して外部に逃げる。こうして、ボトルの内部の圧力がこの開口から外部へ抜けてしまい、ディスペンサーは使用不能となる。ディスペンサーがこれによって使用不能になることは、完全に意図的なものである。というのは、ボトルの内部の圧力が４バールを越えて上昇するということは、このディスペンサーの圧力制御に何か問題があることを示すからである。万一それでもまだ使用可能であれば、その後の使用者に対して潜在的な危険が存在することがある。圧力値が例えば４バールを超えたときに意図的にディスペンサーを自己破壊することによって、いかなる潜在的な危険も除去することができる。
【符号の説明】
【００２７】
１  押しボタン式ディスペンサー
２  ボトル
３  制御機関の重錘形状の封止円錐体
４  抜出しチャネル
５  抜出しチャネルの開口部
６  ネジ式キャップ
７  圧縮ガスカプセル
８  圧縮ガスカプセルのための収容シリンダー
９  ねじ外れ防止用部材
１０  吸引チューブの円錐形状に広がるセグメント
１１  吸引チューブ
１２  抜出し口部材
１３  制御機関の刀形状の伸長部
１４  筐体
１５  押しボタン
１６  抜出しチャネルを有する取り付け部材
１７  押しボタンのための圧縮バネ
１８  押しボタンのための案内ピン
１９  バルブのカバーディスク
２０  圧力制御バネ
２１  圧縮ガスカプセルの頸部のための封止リング
２２  圧縮ガスカプセルの頸部のための挿入リング
２３  穴開けチューブ
２４  吸引チューブのための取り付けリング
２５  制御機関の封止円錐体のための受容スリーブ
２６  筐体のための取り付けネジ
２７  バルブケース
２８  
２９  内部にバルブ球を有するバルブ
３０  圧力制御バネのための案内リング
３１  バルブ球のためのシール
３２  封止部材
３３  封止部材の封止リング
３４  封止タブ
３５  封止タブ上の材料ブリッジ
３６  制御機関の封止円錐体３のための封止リング（このリングは射出成形によって得られる）を有する挿入スリーブ
３７  内部筐体
３８  止まり穴を有するピン
３９  制御機関
４０  ネジ式連結部材
４１  ネジ式キャップ上のグリップフィン
４２  封止部材の曲がった形状を有するカバー部
４３  バルブケースのチャネル
４４  過剰圧力安全装置のための薄厚部材
４５  過剰圧力安全キャップ
４６  封止部材の包囲バンド
【図１】
2013525217.tif 000003
【図２】
2013525217.tif 000004
【図３】
2013525217.tif 000005
【図４】
2013525217.tif 000006
【図５】
2013525217.tif 000007
【図６】
2013525217.tif 000008
【図７】
2013525217.tif 000009
【国際調査報告】
2013525217.tif 000010
2013525217.tif 000011
2013525217.tif 000012
2013525217.tif 000013
2013525217.tif 000014
2013525217.tif 000015
2013525217.tif 000016
2013525217.tif 000017
2013525217.tif 000018
2013525217.tif 000019